(57)【特許請求の範囲】
【請求項１】
環状体を複数鎖状に連結してなる管体であって、環状体の一部又は全部が中空状に形成されており、隣接する環状体の互いに対抗する面にそれぞれ中空部へ通じる通孔が形成されており、両通孔を繋ぐ筒体によって隣接する環状体の中空部が連通されており、筒体を隣接する環状体における一方又は双方の環状体の通孔に対して抜き差し自在に通すことで該筒体を周回するリング状の弾性体が隣接する環状体によって挟まれた状態になることを特徴とする管体。
【請求項２】
一端側に位置する環状体に中空部内へ流動体を送り込むための流入口が形成されており、他端側に位置する環状体に中空部内から流動体を排出するための流出口が形成されている請求項１記載の管体。
【請求項３】
他端側に錘が設けられている請求項２記載の管体。
【請求項４】
Ｃ字状の本体を複数鎖状に連結してなる管体であって、Ｃ字状の本体が中空状に形成されており、隣接するＣ字状の本体の互いに対抗する面にそれぞれ中空部へ通じる通孔が形成されており、両通孔を繋ぐ筒体によって隣接するＣ字状の本体の中空部が連通されており、筒体を隣接するＣ字状の本体における一方又は双方のＣ字状の本体の通孔に対して抜き差し自在に通すことで該筒体を周回するリング状の弾性体が隣接するＣ字状の本体によって挟まれた状態になることを特徴とする管体。
【請求項５】
請求項１乃至４のいずれかに記載された管体を水槽内に配置して該水槽に管体内を通過した空気を供給する水槽用ポンプ。
【請求項６】
請求項１乃至４のいずれかに記載された管体を手洗部の上方に垂らして該手洗部に管体内を通過した水を供給する手水舎。
【発明の詳細な説明】
【技術分野】
【０００１】
本発明は、管体及び該管体を用いた水槽用ポンプ・手水舎に関するものである。
【背景技術】
【０００２】
周知のとおり、水や空気などの流動体を送るための管体は様々な用途に使用されており、従来から種々の開発が行われている。
【０００３】
例えば、後述特許文献１には、夫々一端を開口状態にした内接中空状体と外装中空球状体とを背中合わせに接続し内部を接続部分で連通させて成る硬質乃至は半硬質のプラスチック製単位管を、隣接する単位管同士の内接中空球状体と外装中空球状体とを嵌合連結することにより、多数個連結して成る可曲管が開示されている。
【先行技術文献】
【特許文献】
【０００４】
【特許文献１】実開昭４８−８９４１８号公報
【発明の概要】
【発明が解決しようとする課題】
【０００５】
しかし、前記特許文献１に開示された可曲管に例示されるように従来の管体は、流動体を効率良く送るための工夫が凝らされているものの、デザイン的に優れたものが少なく、このため、水槽や庭園などの観賞に興じられる場所においては、水や空気を送るための管体を、景観が損なわれないように人目に付かないように隠して配置しなければならないという問題点があった。
【０００６】
そこで、本発明者は、水や空気などの流動体を送ることができ、かつ、水槽や庭園の景観を損ねることがないデザイン性に優れた管体を得ることを技術的課題として、その具現化をはかるべく、試行錯誤的に実験を重ねた結果、環状体を複数鎖状に連結してなる管体において、環状体の一部又は全部を中空状に形成し、隣接する環状体の互いに対抗する面にそれぞれ中空部へ通じる通孔を形成し、両通孔を繋ぐ筒体によって隣接する環状体の中空部を連通し、筒体を隣接する環状体における一方又は双方の環状体の通孔に対して抜き差し自在に通すことで該筒体を周回するリング状の弾性体を隣接する環状体によって挟むことにより、装飾性のある管体を得ることができるという刮目すべき知見を得、前記技術的課題を達成したものである。
【課題を解決するための手段】
【０００７】
前記技術的課題は、次の通りの本発明によって解決できる。
【０００８】
すなわち、本発明に係る管体は、環状体を複数鎖状に連結してなる管体であって、環状体の一部又は全部が中空状に形成されており、隣接する環状体の互いに対抗する面にそれぞれ中空部へ通じる通孔が形成されており、両通孔を繋ぐ筒体によって隣接する環状体の中空部が連通されており、筒体を隣接する環状体における一方又は双方の環状体の通孔に対して抜き差し自在に通すことで該筒体を周回するリング状の弾性体が隣接する環状体によって挟まれた状態になるものである。
【０００９】
また、本発明は、前記管体において、一端側に位置する環状体に中空部内へ流動体を送り込むための流入口が形成されており、他端側に位置する環状体に中空部内から流動体を排出するための流出口が形成されているものである。
【００１０】
また、本発明は、前記管体において、他端側に錘が設けられているものである。
【００１１】
また、本発明に係る管体は、Ｃ字状の本体を複数鎖状に連結してなる管体であって、Ｃ字状の本体が中空状に形成されており、隣接するＣ字状の本体の互いに対抗する面にそれぞれ中空部へ通じる通孔が形成されており、両通孔を繋ぐ筒体によって隣接するＣ字状の本体の中空部が連通されており、筒体を隣接するＣ字状の本体における一方又は双方のＣ字状の本体の通孔に対して抜き差し自在に通すことで該筒体を周回するリング状の弾性体が隣接するＣ字状の本体によって挟まれた状態になるものである。
【００１２】
さらに、本発明に係る水槽用ポンプは、前記いずれかの管体を水槽内に配置して該水槽に管体内を通過した空気を供給するものであり、また、本発明に係る手水舎は、前記いずれかの管体を手洗部の上方に垂らして該手洗部に管体内を通過した水を供給するものである。
【発明の効果】
【００１３】
本発明によれば、管体の外観が鎖状であってデザイン性に優れており、観賞に興じられる場所において配置する際に、管体が人目に付くように配置されても景観を損なうことがない。
【００１４】
従って、本発明の産業上利用性は非常に高いといえる。
【図面の簡単な説明】
【００１５】
【図１】実施の形態１に係る管体を示した正面図である。
【図２】図１に示す管体における隣接する環状体を示した斜視図である。
【図３】図１に示す管体を示した縦断面図である。
【図４】図１に示す管体における隣接する環状体の連結部分を示した拡大断面図である。
【図５】実施の形態２に係る隣接する円環状体を示した斜視図である。
【図６】実施の形態３の変形例１に係る円環状体を示した説明図である。
【図７】図６に示す円環状体を分解して示した側面図である。
【図８】実施の形態３の変形例２に係る円環状体を示した説明図である。
【図９】図８に示す円環状体を分解して示した側面図である。
【図１０】実施の形態４に係る円筒体によって連結される隣接する環状体の連結部分を示した拡大断面図である。
【図１１】実施例１に係る水槽用ポンプを示した斜視図である。
【図１２】図１１に示す排気体を示した斜視図である。
【図１３】実施例２に係る手洗舎を示した斜視図である。
【図１４】図１３に示す管体と錘との接続構造を示した断面図である。
【発明を実施するための形態】
【００１６】
以下、本発明の実施の形態を説明する。
【００１７】
実施の形態１．
【００１８】
本実施の形態に係る管体１は、図１及び図２に示すように、鎖状に連結される複数の円環状体２と、隣接する円環状体２を接続する円筒体３と、円筒体３を周回するリング状の弾性体４とから構成されている。
【００１９】
円環状体２は、中空状に形成されている。そして、円環状体２の中心側を向く面には、中空部５へと繋がる二つの円形状の通孔６が形成されており、両通孔６は、互いに対向するように位置付けられている。そして、隣接する円環状体２は、鎖状に連結された状態でそれぞれ一方の通孔６を対向するように位置付け、一方の円環状体２の通孔６に円筒体３の一端を差し込むと共に、他方の円環状体２の通孔６に円筒体３の他端を差し込むことにより、両円環状体２の中空部５が円筒体３を介して連通されている。
【００２０】
円筒体３は、円環状体２の通孔６に対して抜き差し自在に差し込むことができるように該通孔６の径以下の外径に形成されており、かつ、隣接する円環状体２の通孔６に差し込まれた状態において少なくとも一端がいずれか一方の円環状体２の内面に接触しない長さに形成されている。また、円筒体３には、リング状の弾性体４が周回している。そして、弾性体４は、隣接する円環状体２の通孔６に円筒体３が差し込まれた状態において該隣接する円環状体２の互いに対向する面によって挟まれた状態になっている。
【００２１】
弾性体４は、円筒体３の外径以下の内径に形成されており、弾性体４の収縮力及び弾性体と円筒体３との間に働く摩擦力によって円筒体３の外面に対して所定位置に保持できるようになっている。
【００２２】
次に、本実施の形態に係る管体１の作成方法について説明する。
【００２３】
先ず、筒状の線材を円環状に成形して円環状体２を形成し、この時、各円環状体２を鎖状に連結させる。そして、各円環状体２には、中心側を向く面に二つの通孔６を互いに対向するように位置付けて形成する。次に、隣接する円環状体２の互いに対向する通孔６に円筒体３を差し込んで両円環状体２を接続する。この時、円筒体３の中央付近に弾性体４と取り付け、円筒体３の一端を一方側の円環状体２の通孔６に差し込むと共に、円筒体３の他端を他方側の円環状体２の通孔６に差し込む。この状態において、円筒体３は、隣接する円環状体２の互いに対向する面によって挟まれた弾性体４に保持された状態となり、円筒体３の両端はいずれの円環状体２の内面にも接触しないように保たれる。そして、全ての隣接する円環状体２を円筒体３によって接続することによって管体１を作成することができる。
【００２４】
次に、本実施の形態に係る管体の使用方法について説明する。
【００２５】
本実施の形態に係る管体１を使用する際には、管体１に対して引っ張るような力が生じた状態で使用する。これにより、図４の（ｂ）に示すように、隣接する円環状体２の互いに対向する面に挟まれた弾性体４が両円環状体２の間で潰されて変形した状態となり、変形した弾性体４によって両円環状体２の通孔６と円筒体３との間に生じる隙間から流動体が漏れ出すことが防止される。
【００２６】
なお、管体１に対して引っ張るような力を生じさせる方法としては、管体１の一端を固定して他端に錘を固定する方法が考えられるが、これに限定されることはない。
【００２７】
実施の形態２．
【００２８】
本実施の形態は前記実施の形態１における円環状体の変形例である。なお、本実施の形態に係る円環状体を示した図５において図１〜４と同一符号は同一又は相当部分を示している。
【００２９】
本実施の形態に係る円環状体２は、図５に示すように、円環状体２の中心側を向く面に中空部５へと繋がる二つの円形状の通孔６が互いに対向するように形成されており、一方の通孔６から円環状体２の中心に向かって伸びる円筒部７（筒体）が形成されている。そして、隣接する円環状体２は、鎖状に連結された状態で一方の円環状体２に形成された円筒部７を他方の円環状体２における円筒部７が形成されていない通孔６に差し込むことにより、両円環状体２の中空部５が円筒部７を介して連通されている。
【００３０】
なお、円筒部７は、他方の円環状体２の通孔６に対して抜き差し自在に差し込むことができるように該通孔６の径以下の外径に形成されており、かつ、隣接する円環状体２の通孔６に差し込まれた状態において先端が一方の円環状体２の内面に接触しない長さに形成されている。また、円筒部７には、リング状の弾性体４が周回している。
【００３１】
本実施の形態に係る円環状体２を用いた管体１においても前記実施の形態にと同様の作用効果を得ることができる。
【００３２】
実施の形態３．
【００３３】
本実施の形態は前記実施の形態１における円環状体の変形例である。なお、図６及び図７は本実施の形態に係る変形例１に係る円環状体を示しており、図８及び図９は本実施の形態に係る変形例２に係る円環状体を示しており、図６〜図９において図１〜４と同一符号は同一又は相当部分を示している。
【００３４】
変形例１：本変形例に係る円環状体２は、図６に示すように、C字状の本体８と、本体８の両端に架け渡される架橋体９から構成されている。本体８は、中空状の線材の両端を塞いでＣ字状に湾曲させることによって形成されている。図７に示すように、本体８の両端部には側面視鉤状の嵌合部１０が形成されていると共に、嵌合部１０を貫くようにピン穴１１が形成されており、本体８の中心側を向く面には、中空部と繋がる一対の通孔（図示せず）が対向するように位置付けられている。また、架橋体９の両端部には本体８の嵌合部１０と嵌り合う形状に形成された嵌合受け部１２が形成されていると共に、嵌合受け部１２を貫くようにピン穴１３が形成されている。そして、本体８と架橋体９とは、本体８の両嵌合部１０に架橋体９のそれぞれの嵌合受け部１２を嵌め込み、嵌合部１０と嵌合受け部１２の両ピン穴１１，１３を連通させてピン１４を差し込むことによって連結されている。
【００３５】
変形例２：本変形例に係る円環状体２は、図８に示すように、C字状の本体１５と、本体１５の両端に掛け渡される架橋体１６とから構成されている。本体１５は、中空状の線材の両端を塞いでＣ字状に湾曲させることによって形成されている。図９に示すように、本体１５の一端部には側面視扁平状の連結部１７が形成されていると共にピン穴１８が貫通しており、本体の中心側を向く面には、中空部と繋がる一対の通孔（図示せず）が対向するように位置付けられている。また、架橋体１６の一端部には本体１５の連結部１７と嵌り合う形状に形成された側面視扁平状の連結受け部１９に形成されていると共にピン穴２０が貫通している。そして、本体１５と架橋体１６とは、本体１５の連結部１７に架橋体１６の連結受け部１９を重ね、連結部１７と連結受け部１９のピン穴１８，２０を連通させてピン２１を差し込むことによって連結されており、本体１５に対して架橋体１６がピン２１を回転軸として回動できるようになっている（図８の点線参照）。
【００３６】
本実施の形態に係る円環状体によれば、本体から架橋体を取り外すことや本体に対して架橋体を回動させることよって隣接する円環状体を容易に鎖状に連結することができる。なお、本実施の形態に係る円環状体を利用した管体においても前記実施の形態１に係る管体と同様の作用効果を得ることができる。
【００３７】
実施の形態４．
【００３８】
本実施の形態は前記実施の形態１における円筒体の変形例である。なお、本実施の形態に係る円筒体を示した図１０において図１〜４と同一符号は同一又は相当部分を示している。
【００３９】
本変形例に係る円筒体２２は、図１０に示すように、円環状体２の通孔に対して抜き差し自在に差し込むことができるように該通孔６の径以下の外径に形成されており、かつ、隣接する円環状体２の通孔６に差し込んだ際に、斜めにカットされた一端を一方の円環状体２の内面に接触させた状態で他端が他方の円環状体２の内面に接触しないような長さに形成されている。
【００４０】
本実施の形態に係る円筒体２２を利用した管体１においても前記実施の形態１と同様の作用効果を得ることができる。
【００４１】
実施の形態５．
【００４２】
本実施の形態は前記実施の形態１における管体の利用した実施例であり、図１１及び図１２は実施例１に係る水槽用ポンプを示しており、図１３及び図１４は実施例２に係る手洗舎を示している。なお、図１１〜１４において図１〜４と同一符号は同一又は相当部分を示している。
【００４３】
実施例１：本実施例に係る水槽用ポンプ２３は、図１１に示すように、水槽に空気を送り込むためのポンプ（図示せず）と、ポンプから伸びるホース２４に接続される管体１と、管体１内に送り込まれた空気を排出するための排気体２５とから構成されている。
【００４４】
ホース２４は、管体１の一端に位置する円環状体２に形成された流入口２６に接続されており、排気体２５は、図１２に示すように、管体１の水槽内に配置される他端に位置する円環状体２に形成された流出口２７に接続されている。排気体２５は、円環部２８から碇状の排気部２９が伸びた外観を有している。そして、排気体２９は、円環部２８から排気部２９へ伸びる中空部３０を有している。円環部２８は、管体１の他端に位置する円環状体２と鎖状に連結された状態で円環状体２の流出口２７と対向する面に接続口３１が形成されており、流出口２７と接続口３１とは管体１の隣接する円環状体２と同様の方法によって接続されている。また、排気部２９には、中空部３０に送り込まれた空気を排出するための排孔３２が複数形成されている。
【００４５】
実施例２：本実施例に係る手洗舎３３は、図１３に示すように、四本の支柱３４によって支えられる屋根部３５と、屋根部３５の天井まで伸びるホース（図示せず）と、ホースに接続されて屋根部３５の天井から吊るされる管体１と、管体１の下端に接続される錘３６と、管体１から錘３６を介して滴る水滴を受ける手洗部３７とから構成されている。
【００４６】
管体１は、上端に位置する円環状体２を天井に設けられたフック３８に引っ掛けることによって天井に吊り下げられている。そして、ホースは、管体１の上端に位置する円環状体２に形成された流入口（図示せず）に接続されており、錘３６は、管体１の下端に位置する円環状体２に接続されている。
【００４７】
錘３６は、図１４に示すように、中央に形成された上下方向へ伸びる貫通孔３９にボルト４０の軸部４１を差し込むことができるようになっており、貫通孔３９の下部４２の径を貫通孔３９の上部４３の径よりも大径に形成することによって貫通孔３９内に段差４４を形成し、貫通孔３９の上側開口４５から通されたボルト４０にナット４６と取り付け、ナット４６を段差４４に引っ掛けることで貫通孔３９からボルト４０が抜けないように保持される構造になっている。ボルト４０の軸部４１は下端へと抜ける中空状に形成されており、軸部４１の頭部２７側には中空へと繋がる開孔４８が形成されている。
【００４８】
錘３６を管体１の下端に位置する円環状体２に接続する場合には、先ず、錘３６のボルト４０の軸部４１を円環状体２の下部に形成された上下に貫く連通孔４９に差し込み、ボルト４０の軸部４１に形成された開孔４８を円環状体２の中空部５内に位置付ける。次に、円環状体２の連通孔４９に差し込まれたボルト４０の軸部４１を錘３６の貫通孔３９に通した後、軸部４１にナット４６を螺着させればよい。
【００４９】
本実施例においては、ホースから送り出された水が管体１内を通って管体１の下端に位置する円環状体２に達した後、管体１の下端に位置する円環状体２内の水がボルト４０の軸部４１に形成された開孔４８から軸部４１内を通って手洗部３７に滴るようになっている。
【００５０】
なお、本発明に係る環状体は、環状であれば円形状に限定されず、多角形状であってもよい。また、本発明に係る筒体は、筒状であれば円筒状に限定されず、多角形状であってもよい。
【００５１】
また、本発明に係る管体は、管体にコードを通すことにより、コードの装飾具として使用することもできる。
【符号の説明】
【００５２】
１  管体
２  円環状体
３  円筒体
４  弾性体
５  中空部
６  通孔
７  円筒部
８  本体
９  架橋体
１０  嵌合部
１１  ピン穴
１２  嵌合受け部
１３  ピン穴
１４  ピン
１５  本体
１６  架橋体
１７  連結部
１８  ピン穴
１９  連結受け部
２０  ピン穴
２１  ピン
２２  円筒体
２３  水槽用ポンプ
２４  送気ホース
２５  排気体
２６  送気口
２７  排気口
２８  円環部
２９  排気部
３０  中空部
３１  接続口
３２  排孔
３３  手洗舎
３４  柱
３５  屋根部
３６  錘
３７  手洗部
３８  フック
３９  貫通孔
４０  ボルト
４１  軸部
４２  下部
４３  上部
４４  段差
４５  開口
４６  ナット
４７  頭部
４８  開孔
４９  連通孔
【図１】
0005765532.tif 000002
【図２】
0005765532.tif 000003
【図３】
0005765532.tif 000004
【図４】
0005765532.tif 000005
【図５】
0005765532.tif 000006
【図６】
0005765532.tif 000007
【図７】
0005765532.tif 000008
【図８】
0005765532.tif 000009
【図９】
0005765532.tif 000010
【図１０】
0005765532.tif 000011
【図１１】
0005765532.tif 000012
【図１２】
0005765532.tif 000013
【図１３】
0005765532.tif 000014
【図１４】
0005765532.tif 000015